(57)【特許請求の範囲】
【請求項１】
プリント配線板の配線回路を電気通電により導通検査する検査治具であって、該検査治具は、プリント配線板の回路と接触させるためのプランジャー（１）と、プランジャーを保持する保護ボード（２）と、保護ボード（２）からのプランジャーの落下を防止するプランジャー落下防止ボード（３）と、プランジャーを押し上げるスプリング（４）と、スプリングを納めるスプリングボード（５）と、スプリングの接触を受ける接点（７）と、接点を納める接点ボード（６）と、接点から計測器まで接続するリード線（９）と、接点にリード線をつなぐコネクタースリーブ（８）とからなり、前記プランジャーは、その中間部分の径が両先端の径よりも大きく形成され、保護ボードとプランジャー落下防止ボードとを対向させて形成される径の大きい部分にプランジャーの中間部分が組み込まれていることを特徴とするプリント配線板の導通検査治具。
【発明の詳細な説明】
【０００１】
【発明の属する技術分野】
本発明は、プリント配線板製造における導通検査の検査治具に関するものである。
【０００２】
【従来の技術】
従来のプリント配線板導通検査の方法、装置は種々のものがある。これらの検査装置は、一般に導通検査するときに検査治具を空圧シリンダーなどでプリント配線板に押し当て、プローブピンをプリント配線板に確実に接触させ検査するものである。
【０００３】
上記の検査には、従来より固有の回路を持つプリント配線板にあわせた検査治具が使用されている。この検査治具には、スプリングをケースに内蔵し安定した接触を保持できるスプリングプローブを有する構造となっている。
【０００４】
更に高密度となってきたプリント配線板には、より細いプローブを使用しケースを用いずに、ボードに直接スプリングとプランジャーを組み込み、狭いピッチに対応してきた。一例として図３に示すように、保護ボード（１３）、スプリングボード（１４）、接点ボード（１６）の３枚のボードにプランジャー（１２）、スプリング（１５）、接点（１７）を内蔵している。ここで、スプリングボードにあけられた穴は、スプリングが自由に可動でき、プランジャーを押し込んでいる。一方、保護ボード、接点ボードにあけられた穴は、スプリングボードにあけられた穴よりも小さく、プランジャーと接点がスプリングの反力で外に脱落しない構造となっている。
【０００５】
【発明が解決しようとする課題】
従来のプリント配線板導通検査において、ピンボードにスプリング、プランジャーを入れ、保護板で押さえる構造の検査治具においては、スプリングの取り出し方向とプランジャーの取り出し方向が対向しているため、治具の組み立てには専用の治工具を使用するなどして組立をおこなっていた。
また、寿命や修理などで部品を交換する場合には、一度組み立てられた治具は、垂直方向にボードを切り離すと部品が落下してしまう。部品の落下を防止するためには縦置きにして実施しなければならなかった。
一体化した保護ボード、プランジャーボード、スプリングボード、接点ボードの４枚のボードは、チェッカーに取り付ける関係からチェッカーボードの大きさとは必ずしも一致しないため、縦置きでは自立できず分解も片方の治具がずれ易く作業のしずらいものであった。
【０００６】
また、これらの治具は従来のスプリングプローブを有する構造の治具との外観上の区別がつかないことにより、従来と同様の方法で分解を実施すると部品が落下する危険があった。
本発明は、従来の技術の安定した導通検査をそのままにして、作業性の問題点を解決した治具を供給することを目的とする。
【０００７】
【課題を解決するための手段】
上記目的を達成するために、本発明は、プリント配線板の配線回路を電気通電により導通検査する検査治具であって、該検査治具は、プリント配線板の回路と接触させるためのプランジャー（１）と、プランジャーを保持する保護ボード（２）と、保護ボード（２）からのプランジャーの落下を防止するプランジャー落下防止ボード（３）と、プランジャーを押し上げるスプリング（４）と、スプリングを納めるスプリングボード（５）と、スプリングの接触を受ける接点（７）と、接点を納める接点ボード（６）と、接点から計測器まで接続するリード線（９）と、接点にリード線をつなぐコネクタースリーブ（８）とからなり、前記プランジャーは、その中間部分の径が両先端の径よりも大きく形成され、保護ボードとプランジャー落下防止ボードとを対向させて形成される径の大きい部分にプランジャーの中間部分が組み込まれていることを特徴とする。
本発明によれば、従来ではピンボードのスプリング上の安定しなかったプランジャーを、スプリングの影響を受けないプランジャー落下防止ボードと保護ボードとで挟み込み、これをスプリングボードに組み付ける構造としたものである。このプランジャーを組み込んだボードでは、プランジャーが自由に可動でき、スプリングボードへ組み込んでスプリングの反力を受けると、測定面側にでてくるため容易に作業できる。そして、本発明の検査治具は、スプリングの影響を受けずにプランジャーの着脱が容易となる。
【０００８】
【発明の実施の形態】
発明の実施の形態を実施例にもとづき図面を参照して説明する。
図１においてプランジャー（１）を保護板（２）落下防止ボード（３）にて挟み込む。プランジャーの形状は中間部分の径が両先端の径よりも大きく、そして保護板、落下防止ボードとも板の中間で穴の径が異なり、それぞれ径の大きいものを対向して組み込むことにより、プランジャーを保持することができる。
一方、接点ボード（６）接点（７）スプリングボード（５）にスプリング（４）と組み合わせたところに前述のプランジャーのボードを組み込む。
このときプランジャーは、ボードの中で上下に自由に動くことができ、スプリングの反力により従来と同様に適度な導通を得ることができる。
【０００９】
図２に示される実施例では、検査治具をチェッカーに取り付けプリント配線板の検査状態を表している。
図１で構成された下検査治具（３０１）と、これとは反対向きの上検査治具（３０２）はそれぞれ、支柱（３３）をにて支えられ、チェッカー取り付けボード（３２）に固定される。検査治具の大きさは、製品により異なるためチェッカー取り付けボードを介してチェッカーボード（３０，３１）にそれぞれ固定される。
【００１０】
【発明の効果】
本発明は、以上説明したように構成されているので、以下に記載されているような効果を奏する。
【００１１】
プランジャーとスプリングとがそれぞれ分離されて組み込みができるため、治具の組立が容易におこなえる。
【００１２】
プランジャーとスプリングとが容易に分離可能なため、それぞれの修理、部品交換が容易にできる。
【００１３】
従来の検査治具と同様にチェッカーボードを下にして、プランジャーが垂直方向を向いた安定した状態で持ち上げて分解ができる。
【図面の簡単な説明】
【図１】本発明の検査治具の構成断面図。
【図２】本発明の導通検査状態および検査治具取り付け図。
【図３】従来のプリント配線板の検査治具の構成断面図。
【符号の説明】
１．プランジャー
２．保護ボード
３．プランジャーボード
４．スプリング
５．スプリングボード
６．接点ボード
７．接点
８．スリーブ
９．リード線
１２．プランジャー
１３．保護ボード
１４．ピンボード
１５．スプリング
１６．接点ボード
１７．接点
１８．リード線
３０，３１．チェッカーボード
３２．チェッカー取り付けボード
３３．支柱
３４．リード線（フラットケーブル）
３５．コネクター
３６．プリント配線板
３７．プリント配線板測定点
３０１，３０２．検査治具
【図１】
0003691368.tif 000002
【図２】
0003691368.tif 000003
【図３】
0003691368.tif 000004